(57)【要約】  シート状の第一の中綴じ基材と、前記第一の中綴じ基材の下に中綴じしたシート状の第二の中綴じ基材とを少なくとも含む冊子であって、前記第一の中綴じ基材は、光透過領域を有し、前記光透過領域に偏光又は位相変調作用を備えた光学機能部を備え、前記第二の中綴じ基材は、前記第一の中綴じ基材の対向する面の前記光学機能部に対応する位置に光学機能部を作用させることにより顕現する潜像が設けられている。
2012043527.tif 000002
【特許請求の範囲】
【請求項１】
シート状の第一の中綴じ基材と、
前記第一の中綴じ基材の下に中綴じしたシート状の第二の中綴じ基材と、
を少なくとも備える冊子であって、
前記第一の中綴じ基材は、光透過領域を有し、
前記光透過領域に、偏光又は位相変調作用を備えた光学機能部を備え、
前記第二の中綴じ基材は、前記第一の中綴じ基材の対向する面の前記光学機能部に対応する位置に、前記光学機能部を作用させることにより顕現する潜像が設けられていることを特徴とする冊子。
【請求項２】
前記第一の中綴じ基材は、その中心線を中心に二つ折りして貼り合わせられ、
前記貼り合わせられた第一の中綴じ基材の間に、少なくともＩＣチップ及びアンテナを含むインレットが挟まれていることを特徴とする請求項１に記載の冊子。
【請求項３】
前記光学機能部は、貼り合わせられた前記第一の中綴じ基材の間に挟みこまれた偏光フィルム又は位相差フィルムを含むことを特徴とする請求項１又は２に記載の冊子。
【請求項４】
前記第一の中綴じ基材の少なくとも一部が、偏光フィルム又は位相差フィルムで構成されていることを特徴とする請求項１又は２に記載の冊子。
【請求項５】
前記潜像は、二つ折りの折り線を跨いで、前記第二の中綴じ基材に連続的に形成されていることを特徴とする請求項１から４のいずれか一項に記載の冊子。
【請求項６】
光透過領域を有し、前記光透過領域に偏光又は位相変調作用を備えた光学機能部を備えた第一の中綴じ基材を、前記第一の中綴じ基材の対向する面の前記光学機能部に対応する位置に光学機能部を作用させることにより顕現する潜像が設けられた第二の中綴じ基材の上に中綴じし、
前記第一の中綴じ基材は、その中心線を中心に二つ折りして貼り合わせることを特徴とする冊子の製造方法。
【発明の詳細な説明】
【技術分野】
【０００１】
本発明は、偽造防止機能を備えた冊子に関するものであり、中でもパスポート等の高いセキュリティ機能が必要とされる冊子類に関する。
本願は、２０１０年９月２８日に、日本に出願された特願２０１０−２１６７１５号に基づき優先権を主張し、その内容をここに援用する。
【背景技術】
【０００２】
パスポートや通帳等の媒体は、図１１に示すように、複数の紙面８１、８２を重ね合わせ、中央部分を針金や糸８３で綴じて（中綴じ）、冊子状にしている。特にパスポートのように、偽造防止のための高いセキュリティが要求される冊子類では、蛍光染料で処理し、紫外線光源で発光する綴じ糸８３（偽造防止綴じ糸）を用いることで、偽造防止を図っている（特許文献１）。【０００３】
一方、近年では個人情報等をデジタルデータとして記憶するＩＣチップを、リーダ／ライタで読み書きできるように、埋め込んだ冊子が開発されている。特に電子パスポートの分野では、そのような冊子が各国で採用されるようになってきている。冊子にＩＣチップを埋め込む形態としては、冊子カバーに添付した形態や、ページの間にＩＣチップを含むインレットを挟み込み、両ページ同士を接着した形態が提案されている（特許文献２）。【０００４】
ページの間にＩＣチップを含むインレットを挟み込む形態では、特に中綴じの場合、中綴じ糸が露出する最内面の紙面を中綴じ糸を中心に中折りしてインレットを挟み込む。このような形態は、両ページに均一な負荷が掛かるために製造工程及び強度の面から好ましく、日本を含む幾つかの国のパスポートで採用されている（非特許文献１）。【０００５】
電子パスポートの仕様を定めている国際民間航空機関（ＩＣＡＯ）の規格に拠れば、ＩＣチップには個人の顔画像の情報を記録することが必須とされている。さらに、ＩＣチップに記録されている顔画像の情報と、パスポートの紙面に写真等の形で記録された顔画像とを照らし合わせることで、電子情報と視認情報の相互確認により、偽造防止・セキュリティ性を向上させる。【０００６】
しかしながら、ＩＣチップに記録された情報の書き換えや、ＩＣチップ自体の取替えが行われる可能性がある。さらに、パスポートの紙面に載っている顔写真を張替えることにより、パスポートを偽造するおそれがある。このため、ＩＣチップの書き換えを防止する等のセキュリティ性の向上と、視認情報の偽造を防止する技術の向上が望まれている。【０００７】
視認情報の偽造を防止する技術として、特許文献３には、顔画像等の視認情報を潜像として紙面に埋め込み、偏光フィルムを用いて目視することにより、顔画像等の視認情報を検証するパスポートが開示されている。特許文献３の方法によれば、顔写真と比較して、潜像による顔画像の偽造は困難であるために、セキュリティ性が向上する。しかしながら、特許文献３の方法では、別途偏光フィルム等からなる検証器具が必要となる。
【先行技術文献】
【特許文献】
【０００８】
【特許文献１】日本国特開２００１−２３２９７８号公報
【特許文献２】日本国特開２００５−８８５６９号公報
【特許文献３】日本国特開２００１−２３２９７８号公報
【非特許文献】
【０００９】
【非特許文献１】http://www.mofa.go.jp/mofaj/toko/passport/pdfs/ic_leaflet.pdf
【発明の概要】
【発明が解決しようとする課題】
【００１０】
以上のような従来技術の問題点を鑑みて、本願発明では、偽造防止のために潜像を設けることでセキュリティ性を向上させ、さらに容易に偽造防止のための潜像の自己検証が可能な冊子の提供を目的とする。
【課題を解決するための手段】
【００１１】
本発明の一態様に係る冊子は、シート状の第一の中綴じ基材と、前記第一の中綴じ基材の下に中綴じしたシート状の第二の中綴じ基材とを少なくとも含む冊子であって、前記第一の中綴じ基材は、光透過領域を有し、前記光透過領域に偏光又は位相変調作用を備えた光学機能部を備え、前記第二の中綴じ基材は、前記第一の中綴じ基材の対向する面の前記光学機能部に対応する位置に光学機能部を作用させることにより顕現する潜像が設けられている。
前記第一の中綴じ基材は、その中心線を中心に二つ折りして貼り合わせられ、前記貼り合わせられた第一の中綴じ基材の間に、少なくともＩＣチップ及びアンテナを含むインレットが挟まれても良い。
前記光学機能部は、貼り合わせられた前記第一の中綴じ基材の間に挟みこまれた偏光フィルム又は位相差フィルムを含んでも良い。
前記第一の中綴じ基材の少なくとも一部が、偏光フィルム又は位相差フィルムで構成されても良い。
前記潜像は、二つ折りの折り線を跨いで、前記第二の中綴じ基材に連続的に形成されても良い。
本発明の一態様に係る冊子の製造方法であって、光透過領域を有し、前記光透過領域に偏光又は位相変調作用を備えた光学機能部を備えた前記第一の中綴じ基材を、前記第一の中綴じ基材の対向する面の前記光学機能部に対応する位置に光学機能部を作用させることにより顕現する潜像が設けられた第二の中綴じ基材の上に中綴じし、前記第一の中綴じ基材は、その中心線を中心に二つ折りして貼り合わせる。
【発明の効果】
【００１２】
本発明の一態様に係る冊子によれば、第一の中綴じ基材（光透過性フィルム）に光学機能層を設け、光透過性フィルムに隣り合う基材（第二の中綴じ基材）の光学機能層と対向する位置に光学機能層を作用させて顕現させることができる潜像を設けることで、容易に自己検証可能な偽造防止手段を備えた冊子を形成することができる。従って、製造が容易で、さらにセキュリティ性の高い冊子を製造することができる。
【図面の簡単な説明】
【００１３】
【図１】本発明の一実施形態に係る冊子を示す模式図である。
【図２】同実施形態に係る冊子を示す断面模式図である。
【図３Ａ】本発明の他の実施形態に係る冊子を示す模式図である。
【図３Ｂ】本発明の他の実施形態に係る冊子を示す模式図である。
【図４Ａ】本発明の実施形態に係る光学機能部の構成例を示す模式図である。
【図４Ｂ】本発明の他の実施形態に係る光学機能部の構成例を示す模式図である。
【図４Ｃ】本発明の他の実施形態に係る光学機能部の構成例を示す模式図である。
【図４Ｄ】本発明の他の実施形態に係る光学機能部の構成例を示す模式図である。
【図５】本発明の他の実施形態に係る冊子を示す模式図である。
【図６Ａ】本発明の実施形態に係る光学機能部と潜像との構成例を示す模式図である。
【図６Ｂ】本発明の実施形態に係る光学機能部と潜像との他の構成例を示す模式図である。
【図７Ａ】本発明の実施形態に係る第二の中綴じ基材上の潜像の配置を示す模式図である。
【図７Ｂ】本発明の実施形態に係る第二の中綴じ基材上の潜像の他の配置を示す模式図である。
【図８Ａ】本発明の実施形態に係るインレットの構成例を示す模式図である。
【図８Ｂ】本発明の実施形態に係るインレットの構成例を示す模式図である。
【図９】本発明の一実施形態に係るインレットの構成例を示す模式図である
【図１０Ａ】隠蔽層を設けた本発明の一実施形態に係るＩＣ付き冊子の構成例を示す模式図である。
【図１０Ｂ】隠蔽層を設けた本発明の他の実施形態に係るＩＣ付き冊子の構成例を示す模式図である。
【図１０Ｃ】隠蔽層を設けた本発明の他の実施形態に係るＩＣ付き冊子の構成例を示す模式図である。
【図１０Ｄ】隠蔽層を設けた本発明の他の実施形態に係るＩＣ付き冊子の構成例を示す模式図である。
【図１１】従来の冊子の一形態を示す模式図である。
【発明を実施するための形態】
【００１４】
図１は、本発明の一実施形態に係る冊子を示す模式図である。図２は、図１に記載の冊子の第一の中綴じ基材（光透過性基材）１１の主面と直交する断面（Ｓ−Ｓ’）を示す断面模式図である。
図１及び図２に係る冊子１００では、少なくともシート状の第一の中綴じ基材１１が、第二の中綴じ基材１２上に綴じ部材１３（綴じ手段）で中綴じされている。この第一の中綴じ基材１１は、綴じ部材１３で綴じられた中心線（のど）を中心に二つ折りして貼り合わせられている。
第一の中綴じ基材１１の所定の箇所に、偏光機能、位相変調機能、又は偏光及び位相変調機能を備えた光学機能部３１が設けられている。第一の中綴じ基材１１は、少なくとも光学機能部３１が設けられた一部で光透過性を有する。
貼り合わされた第一の中綴じ基材１１と隣り合って中綴じされた第二の中綴じ基材１２には、光学機能部３１と対向する位置に、潜像３２が設けられている。この潜像３２は、光学機能部３１を作用させることにより顕現される。
この光学機能部３１及び潜像３２により、第二の中綴じ基材１２の見開きの潜像３２が形成された側に第一の中綴じ基材１１（光透過性フィルム）を重ね合わせた際に、潜像領域で画像パターンが現れるという偽造防止機能（偽造防止手段）を有する。
さらに、第一の中綴じ基材１１には、その見開きにインレット１４を挟み込むことができる。インレット１４は、ＩＣチップ１４１及びＩＣチップ１４１に対して非接触で通信するアンテナ１４２を備えている。
【００１５】
本発明の各実施形態に係る中綴じとは、シート状の基材の略中心線部分が綴じ手段により別の基材と接合されていることを意味する。従って、第一の中綴じ基材１１を貼り合わせる前の段階では、綴じられた部分を結ぶ線分（綴じ部１１ａ）により第一の中綴じ基材が見開きを構成する。
本発明の実施形態に係る構成によれば、冊子体として第一の中綴じ基材１１を中綴じして貼り合わせた状態でも、偽造防止手段（潜像３２）に対応する領域で、第一の中綴じ基材１１が光透過性を有するため、視認により偽造防止手段を検証することが可能である。本発明の実施形態に係る冊子体は単独で、あるいはカバー等の一般的な冊子類構成要素と組み合わせて、本発明の実施形態に係る冊子を構成することができる。
【００１６】
本発明の実施形態では、少なくとも光学機能部３１を有するシート状の第一の中綴じ基材１１と、第一の中綴じ基材１１と隣り合い且つ潜像３２を備えた第二の中綴じ基材１２とを備えていれば、複数の冊子体から構成された冊子としても良い。
図３Ａ及び図３Ｂに示すように、第二の冊子体２１の潜像３２を設けた見開きに、光学機能部３１を有するシート状の中綴じ基材１１を中綴じした冊子としても良い。例えば、図３Ａに示す構成では、光学機能部３１を有するシート状の第一の中綴じ基材１１が第二の冊子体２１の潜像３２を設けた見開きに中綴じされており、第一の中綴じ基材１１と隣接する第二の冊子体２１の見開きページが第二の中綴じ基材に相当する。図３Ｂに示す構成では、光学機能部３１を有する第一の中綴じ基材１１と潜像３２を設けた第二の中綴じ基材１２とを、第二の冊子体２１に中綴じした。
なお、図１では、第一の中綴じ基材１１として光透過性フィルムが用いられている冊子１００を示している。図１において、第一の中綴じ基材１１が光透過性を有するため、第一の中綴じ基材１１に挟まれている中綴じ部材１３及びインレット１４が見えるように描かれている。図３Ａ及び３Ｂでも同様である。
以下の説明では、一つの中綴じされた冊子体で構成された冊子を例として説明するが、これに限られるものではなく、各実施形態で上記のような冊子の構成を適用することができる。
【００１７】
本発明に係る各実施形態では、綴じ手段を用いて、第一の中綴じ基材１１を中綴じしている。綴じ手段は、中綴じ糸、ステープラ用つづり針等の一般的な綴じ部材を用いることができる。
なお、綴じ手段として、偽造防止手段を備えるものを使用することができる。その具体例としては、紫外線の照射により蛍光を発光する材料を含有させ、紫外線の光源を照射することにより検証することが可能な綴じ糸や、糸にマイクロ文字を印字し、糸の拡大視認により検証することが可能なものが挙げられる。
これらの構成は、冊子状に綴じる前に前記のような偽造防止処理した材料を用いても良いし、特許文献１に記載されているように、綴じた後に偽造防止処理を施しても良い。あるいは、一度綴じた後に、分解して綴じなおしすることが困難な綴じ方を用いた綴じ手段を用いても良い。
綴じ糸を用いた中綴じ方法の例としては、工業用のミシンを用いて公知の一般の縫い方で中綴じする方法が挙げられる。基材の端まで縫いきるチェーン方式、及び、基材の端まで縫わず、基材の途中で縫い止めするインターロック方式のいずれを採用しても良い。チェーン方式よりもインターロック方式の方が、綴じ糸はほつれにくい。しかしながら、チェーン方式でも、接着層や第一の中綴じ基材との融着により綴じ糸の端部が固定されるので、チェーン方式を採用しても問題はない。
また、中綴じする前に第一の中綴じ基材上に接着層を形成しておくと、縫う際に中綴じ基材の破損を抑制する基材保護層として、この接着層が機能する。
上記のように偽造防止手段が、視覚情報により真贋判定を行うものである場合、第一の中綴じ基材１１の綴じ部１１ａ（図１では綴じ部材１３に重なる領域）を視認できるように、綴じ部１１ａを光透過性とすることが好ましい。
【００１８】
潜像を顕現し、視認検証するための光学機能部３１を備えた第一の中綴じ基材の構成例を図４Ａ〜図４Ｄに示す。
図４Ａに示す構成では、第一の中綴じ基材１１の全体が、潜像を顕現する光学機能を備えた光学機能フィルム３１１となっている。この構成によれば、別途光学機能部を設ける必要がなく、第一の中綴じ基材１１のみで視認検証するための光学機能を実現することができる。
図４Ｂに示す構成では、第一の中綴じ基材１１を構成する光透過性フィルム１１１の間に光学機能フィルム３１１が挟まれている。この構成によれば、光学機能フィルム３１１の領域を任意に設定することができる。また、図５のように、非接触ＩＣのインレット１４を設ける場合、光学機能フィルム３１１を挟み込むことにより同じ工程で光学機能部３１を設けることが可能である。
図４Ｃに示す構成では、光学機能フィルム３１１が光透過性フィルム１１１の外側に設けられている。この構成において、潜像を光学機能フィルム３１１と対向する側の紙面に設けるようにすれば、潜像と光学機能フィルム３１１との間に光透過性フィルム１１１が介在しない。従って、光透過性フィルム１１１が光学異方性を持つ材料であっても、潜像の視認に影響を受けることがない。これによって、光透過性フィルム１１１として一般的な延伸フィルムを用いた場合でも、潜像の視認性が高い。
図４Ｄに示す構成では、光透過性フィルム１１１と光学機能フィルム３１１とがお互い対向するように、光透過性フィルム１１１の端部に光学機能フィルム３１１を取り付けられている。このように、第一の中綴じ基材１１の一部が光学機能部で構成されることで、少なくとも第一の中綴じ基材１１の潜像検証領域では、光学機能フィルム３１１に光透過性フィルム１１１が積層されていない構成とすることができる。このような構成によれば、潜像と光学機能部３１との間に光透過性フィルム１１１が介在しないので、光透過性フィルム１１１が光学異方性を持つ材料であっても、潜像の検証に影響を受けることがない。
【００１９】
潜像３２として、偏光潜像を用いることができる。この場合、背景部と潜像部とで異なる偏光方向を有する偏光層により形成することができる。また、偏光方向の揃った偏光層上に、背景部と潜像部とで位相差の異なる位相差層を形成してもよい。偏光潜像は公知の手法を用いて形成することができる。例えば、潜像形成領域に配向層を設け、配向層の配向パターンにより潜像を形成する。配向層には光配向硬化型の液晶等を用いることができる。あるいはコレステリック液晶等を用いた位相差パターンで潜像を形成しても良い。光配向硬化型液晶の層において、配向のパターンを形成することで潜像を形成する。あるいは偏光又は配向を生ずるように、光配向硬化型液晶の層に回折格子を設けても良い。ここで、光配向硬化型液晶とは、光配向性を有する光硬化型液晶である。
【００２０】
上記偏光潜像を顕像化するための検証フィルタである光学機能部３１として、偏光フィルタ（偏光フィルム）を用いることができる。この場合、背景部及び潜像部からの光が異なる偏光方向を有するため、偏光フィルタを通すと、背景部及び潜像部のうちの一方からの光が遮断され、他方からの光が透過する。このように、偏光フィルタを通すと、背景部と潜像部との間でコントラスト差ができるため、潜像画像を認識することができる。このような偏光フィルタとしては、一般的な樹脂偏光板や、１ｍｍあたり１千本以上のストライプパターンを形成したワイヤーグリッド偏光子を用いることができる。ストライプパターンの本数は、対象とする光の周波数などで任意に設定できるが、可視光域の偏光光を選択的に透過させるのであれば、１ｍｍあたり５千本〜１万本程度とすればよい。また、光学機能層３２には、円偏光にするためのλ／４位相差板や、透過波長を制御するバンドパスフィルター等を設けても良い。
【００２１】
図６Ａ及び図６Ｂは、光学機能部３１と潜像３２との構成例を示す模式図である。図６Ａに示す構成では、光学機能部３１が偏光層３１２からなる例である。図６Ｂに示す構成は、光学機能部３１が偏光層３１２と位相差層３１３との積層体からなる例である。
潜像３２は、反射層３２３上に一又は複数の配向パターンを形成したものであり、図６Ａ及び図６Ｂでは、配向方向が異なる第一の配向パターン３２１及び第二の配向パターン３２２が設けられている。図６Ｂの例では、光学機能部３１に位相差層３１３が設けられているので、配向パターンの代りに位相差パターンを用いても良い。
【００２２】
第一の中綴じ基材１１に用いる光透過性フィルム１１１を構成する材料としては、ポリエチレンテレフタレート（ＰＥＴ）、ポリエチレンナフタレート（ＰＥＮ）等のポリエステル系基材、ポリイミド基材、アクリル系基材、塩化ビニル系基材等の一般的なプラスチックフィルムを用いることができる。また、印字性、接着性の向上や、帯電防止のための機能層を積層した多層構造のフィルムを用いても良い。また、ポリカーボネート等のエンジニアリングプラスチックを用いた硬質基材を用いることもできる。特にレーザ照射により印字が可能な発色性の樹脂材料を第一の中綴じ基材１１として用いると、ユニークＩＤ等の印字を第一の中綴じ基材１１に施すことができる。発色性の樹脂材料の例としては、ポリカーボネート、ＰＥＴ等の樹脂に発泡剤や顔料などの添加剤を加えたものが挙げられる。
本発明の実施形態における「光透過性」とは、必ずしも可視光域の光波長の全てについて高透過率である必要はなく、着色していても良い。少なくとも光学機能部３１によって顕現された潜像が視認可能である程度の透過率を所定の光波長で備えていれば良い。しかしながら、後述のように、特に潜像及び光機能層を設ける場合には、潜像の表現に影響を与えないために、可視光の波長域（約４００〜８００ｎｍ）で９０％以上の光透過率であることが好ましい。また、綴じ部材１３に紫外線を照射して検証を行う場合には、紫外線を透過する光透過性フィルムを用いる。この場合、照射する紫外線に対する透過率が５０％以上であることが好ましい。
【００２３】
図７Ａ及び図７Ｂは、第一の中綴じ基材１１からなる頁に隣り合う第二の中綴じ基材１２上の潜像３２の配置を示す模式図である。第二の中綴じ基材１２上の点線で囲まれた領域３３は、第一の中綴じ基材１１からなる頁を第二の中綴じ基材の見開きの片側に重ねた際のインレット１４の位置に対応する領域を示している。潜像３２は、第二の中綴じ基材１２の見開きの片側の頁に、形成しても良いし、両側に形成しても良い。特に、図５に示したように、インレット１４の対応領域３３の外に光学機能層３１を設けるため、潜像３２は、図７Ａのように、第二の中綴じ基材１２の周辺部に設けることができる。あるいは、図７Ｂのように、潜像３２を、第二の中綴じ基材１２の中央部に設けてもよい。特に、図７Ｂのように、第二の中綴じ基材１２の中央部に潜像３２を設ける場合には、二つ折りの折り線、すなわち中綴じ部を跨いで連続的に形成することができる。これにより、光学機能部３１を潜像３２の片側に重ねた構成に比べて、その効果が明確に視認できる。
【００２４】
第二の中綴じ基材１２としては、綴じ部材１３で中綴じできる強度を有する基材を、適宜採用することができる。一般的なパルプ紙や合成紙等の繊維性基材や、ポリエチレンテレフタレート（ＰＥＴ）、ポリエチレンナフタレート（ＰＥＮ）などのポリエステル系基材、ポリイミド基材、アクリル系基材、塩化ビニル系基材等の各種のプラスチックフィルムを用いることができる。また、ポリカーボネート等のエンジニアリングプラスチックを用いた硬質基材を用いることもできる。また、レーザ照射により印字が可能な発色性の樹脂材料を第二の中綴じ基材１２として用いると、ユニークＩＤ等の印字を第二の中綴じ基材１２に施すことができる。発色性の樹脂材料の例としては、ポリカーボネート、ＰＥＴ等の樹脂に発泡剤や顔料などの添加剤を加えたものが挙げられる。
中綴じ基材は同一又は複数種の材料を各重ね合わせる基材に用いることができる。例えば、背側の中綴じ基材には強度を向上させるために、内側の中綴じ基材よりも膜厚の大きい材料や、剛性の高い材料を採用することができる。また、前述のように、第二の中綴じ基材１２として、別の冊子体を用いることもできる。
【００２５】
中綴じされた第一の中綴じ基材１１の見開きの間に挟み込むインレット１４は、少なくともＩＣチップ１４１と、アンテナ１４２とを含む。このインレット１４は、ＩＣチップに非接触で情報を書き込む又は読み取ることが可能なＩＣとして機能する。
図８Ａ及び図８Ｂは、インレット１４の一構成例を示す模式図である。図８Ａはアンテナパターンの形成面（第１面）であり、図８Ｂはその裏面（第２面）である。図８Ａ及び図８Ｂに示す例では、インレット基材１４３上にアンテナパターン１４２を形成し、パターンの交差部で裏面にジャンパー線１４４を設けて、アンテナパターン１４２の両端の接続部１４５間を接続し、アンテナを形成している。
【００２６】
インレット基材１４３としては、ポリエチレンテレフタレート（ＰＥＴ）などのポリエステルフィルム基材、ポリイミド基材、アクリル系基材、塩化ビニル系基材を用いることができる。また、ポリカーボネート等のエンジニアリングプラスチックを用いた硬質基材を用いることもできる。またレーザ照射により印字が可能な発色性の樹脂材料をインレット基材１４３として用いると、ユニークＩＤ等の印字をインレット基材１４３に施すことができる。発色性の樹脂材料の例としては、ポリカーボネート、ＰＥＴ等の樹脂に発泡剤や顔料などの添加剤を加えたものが挙げられる。
また、インレット基材１４３として、紙基材を用いてもよい。紙基材としては、特に限定するものではないが、例えば圧縮固着紙を用いた硬質紙基材を用いることができる。具体的には、天然素材のセルロースを原料とするバルカナイズドファイバーを複数積層したものなどがあげられる。
【００２７】
アンテナ１４２のパターンは、エッチング法、メッキ法、印刷法またはパターン蒸着法により形成することができる。
エッチング法では、アンテナ基材上にアルミ、銅などの金属箔を貼り合せ、またはアルミ、銅などの金属薄膜を蒸着法、スパッタリング法などによりアンテナ基材上に形成し、得られた金属箔・金属薄膜上にマスクパターンを形成し、エッチングによりアンテナ形状のパターンを得ることができる。
印刷法では、導電性インキを印刷する。印刷法としては、微細パターニングできる方法であれば、特に限定するものではないが、スクリーン印刷法を好適に用いることができる。アンテナ基材として紙基材を用いる場合、アンテナの形成法としては印刷法を好適に用いることができる。
メッキ法では、触媒層をパターニング形成し、その後電解または無電解メッキにより、アンテナを形成する。
パターン蒸着法では、開口部を有するマスクを用い、パターン状に蒸着法又はスパッタリング等を行うことにより、アンテナのパターンを形成する。裏面にジャンパー線を設ける代りに、アンテナパターンの交差する部分に絶縁基材と導電部材とからなる配線を貼り合せ、この配線の両端をアンテナと導通させても良い。
また、別のアンテナ形成方法としては、金属線をコイル状に固着配置してアンテナを形成しても良い。アンテナの巻き数、形状などは、通信周波数、その他の特性に応じて適宜設定することができる。この構成は特に片面にアンテナ及び配線を形成した場合に用いることができる。
【００２８】
ＩＣチップ１４１とアンテナ１４２とはアンテナ１４２の終端とＩＣチップ１４１に接続するバンプまたは接続パッドとを溶接や接着剤で貼り合せることにより接続できる。接着剤としては導電性の接着剤を好適に用いることができる。
【００２９】
またインレット１４は、図９の構成例に示すように、インレット基材１４３を設けずに、第一の中綴じ基材１１（光透過性フィルム）上に直接に形成しても良い。図９において、インレット１４１と第一の中綴じ基材１１の断面模式図のみを記し、その他の部分は省略している。また、ＩＣチップ１４１の保護や、ＩＣチップ１４１の形成部とアンテナ１４２及びアンテナ形成面との膜厚差解消のために、保護層を設けても良い。例えば、封止機能を有する保護層や、ＩＣチップに対応する領域に開口部を設けた保護層をＩＣチップの実装前あるいは後に、アンテナ形成面に積層することができる。
【００３０】
ＩＣチップ１４１を露出させないために、インレット１４の少なくとも一部を覆う隠蔽層を設けても良い。この場合、ＩＣチップ１４１を隠蔽するように設けることがセキュリティ上好ましい。
隠蔽層の構成例を、図１０Ａ〜図１０Ｄに示す。図１０Ａ〜図１０Ｄでは、インレット１４と第一の中綴じ基材１１の断面模式図のみを記し、その他の部分は省略している。
図１０Ａでは、第一の中綴じ基材１１（光透過性フィルム）の露出面（外側）に隠蔽層１６を設けている。図１０Ｂでは、第一の中綴じ基材１１（光透過性フィルム）の内側に隠蔽層１６を設けている。図１０Ｃでは、第一の中綴じ基材１１（光透過性フィルム）の内側に隠蔽層１６を設け、隠蔽層１６上にＩＣチップ１４１及びアンテナ１４２（インレット）を形成している。
図１０Ａ〜図１０Ｃでは、第一の中綴じ基材１１（透明フィルム）に隠蔽層１６を設けているので、中綴じする前に予め隠蔽層１６を設けた第一の中綴じ基材１１（光透過性フィルム）を用いることができる。また、前述の綴じ部材１３の偽造防止手段により真贋判定を行う場合には、いずれの構成においても、第一の中綴じ基材１１（光透過性フィルム）を介して綴じ部材１３が確実に視認できるように、第一の中綴じ基材１１（光透過性フィルム）上で、二つ折りの折り線（中心線）から少なくとも０．５ｍｍ、より好ましくは１ｍｍ以上、インレット１４及び隠蔽層１６を綴じ部材１３から離して配置することが好ましい。
図１０Ｄでは、インレット１４に隠蔽層１６を設けているので、第一の中綴じ基材１１が光透過性フィルムであれば、綴じ部材１３の偽造防止手段を用いることができる。なお、上記の図１０Ａ〜図１０Ｄに示す隠蔽層１６の配置を組み合わせて用いても良い。
【００３１】
遮蔽層１６として、文字、絵柄等の遮光性のパターンを、第一の中綴じ基材１１やインレット１４に直接設けることができる。あるいは、別の基材に上述のようなパターンを設けて遮蔽層１６を形成し、これを第一の中綴じ基材１１やインレット１４に張り合わせることもできる。上述のパターンは、例えば白色や黒色などの有色顔料、染料を有するインキを用いて、印刷法により形成することができる。
【００３２】
次に、少なくともインレット１４又は光学機能フィルム３１１を、シート状の第一の中綴じ基材１１の見開きの間に配置した後、この第一の中綴じ基材１１の見開きの左右頁を貼り合わせることで、本発明の実施形態に係る冊子が作成される。
配置の仕方としては、見開きの一方のページに、少なくともインレット１４又は光学機能フィルム３１１を固定した後に、第一の中綴じ基材１１を貼り合わせても良い。あるいは、第一の中綴じ基材１１の貼り合わせと同時に、少なくともインレット１４又は光学機能フィルム３１１を挿入しても良い。
第一の中綴じ基材１１を貼り合せる接着層１５に用いる接着剤としては、例えば、ＥＶＡ（エチレンビニルアセテート樹脂）系、ＥＡＡ（エチレンアクリル酸共重合樹脂）系、ポリエステル系、ポリウレンタン系等の公知の接着剤を用いることができる。また、接着剤を塗布する代わりに、上記の接着剤に用いられる樹脂からなる接着シートを、第一の中綴じ基材１１（光透過性フィルム）の間に挟んで用いることもできる。また、予め貼り合わせられる面に接着層を形成した第一の中綴じ基材１１（光透過性フィルム）を用いても良い。特にホットメルト接着剤を用いれば、熱圧着によって容易に貼り合わせることができ、貼り合わせ後の第一の中綴じ基材１１の平坦性も保持することができる。
さらに、第一の中綴じ基材１１として熱可塑性を有する基材が用いられている場合、上記のような接着層１５を用いずに、熱圧着により貼合せを行うことができる。熱圧着で貼合せを行うと、インレット１４と第一の中綴じ基材１１とが一体化するため、たとえば、ＩＣチップ１４１の入れ替えによる偽造がより困難になる。
特に、第一の中綴じ基材１１としてポリカーボネートを用い、インレット基材１４３として記号や文字等が印字された発色ポリカーボネートを用いて、これら第一の中綴じ基材１１及びインレット１４を熱圧着により一体化すると、印字された記号や文字等を偽造することは困難となる。これにより、冊子１００のセキュリティ性をより高めることができる。
なお、インレット１４への印字は一体化の前に行っても良い。中綴じ基材１１の透明性を生かして中綴じ基材１１の貼合せを行った後にインレット１４への印字を行っても良い。
なお、以上の図示した実施形態において、潜像３２は、第一の中綴じ基材１１と隣り合って中綴じされた第二の中綴じ基材１２の左側の頁に設けられている。しかしながら、これのみに限定されず、潜像３２は、第一の中綴じ基材１１と隣り合って中綴じされた第二の中綴じ基材１２の右側の頁に設けられても良い。すなわち、潜像３２は、第一の中綴じ基材１１と隣り合って中綴じされた中綴じ基材の光学機能層と対向する位置に設けられていれば良い。
【産業上の利用可能性】
【００３３】
本発明の実施形態に係る冊子によれば、第一の中綴じ基材１１に光学機能層３１を設け、第一の中綴じ基材１１に隣り合う第二の中綴じ基材１２の光学機能層と対向する位置に光学機能層を作用させて顕現させることができる潜像を設けることで、容易に自己検証可能な偽造防止手段を備えた冊子を形成することができる。従って、製造が容易で、セキュリティ性の高い冊子を形成することができる。
【符号の説明】
【００３４】
１００            冊子
１１              第一の中綴じ基材
１１１            光透過性フィルム
１２              第二の中綴じ基材
１３              綴じ部材
１４              インレット
１４１            ＩＣチップ
１４２            アンテナ
１４３            インレット基材
１４４            ジャンパー線
１４５            接続部
１５              接着層
１６              隠蔽層
２１              第二の冊子体
３００            ＩＣタグ付き冊子
３１              光学機能部
３１１            光学機能フィルム
３１２            偏光層
３１３            位相差層
３２              潜像
３２１            第一の配向パターン
３２２            第二の配向パターン
３２３            反射層
３３              インレット対応領域
８１、８２        紙面
８３              綴じ糸
【図１】
2012043527.tif 000003
【図２】
2012043527.tif 000004
【図３Ａ】
2012043527.tif 000005
【図３Ｂ】
2012043527.tif 000006
【図４Ａ】
2012043527.tif 000007
【図４Ｂ】
2012043527.tif 000008
【図４Ｃ】
2012043527.tif 000009
【図４Ｄ】
2012043527.tif 000010
【図５】
2012043527.tif 000011
【図６Ａ】
2012043527.tif 000012
【図６Ｂ】
2012043527.tif 000013
【図７Ａ】
2012043527.tif 000014
【図７Ｂ】
2012043527.tif 000015
【図８Ａ】
2012043527.tif 000016
【図８Ｂ】
2012043527.tif 000017
【図９】
2012043527.tif 000018
【図１０Ａ】
2012043527.tif 000019
【図１０Ｂ】
2012043527.tif 000020
【図１０Ｃ】
2012043527.tif 000021
【図１０Ｄ】
2012043527.tif 000022
【図１１】
2012043527.tif 000023
【国際調査報告】
2012043527.tif 000024
2012043527.tif 000025
2012043527.tif 000026
2012043527.tif 000027
2012043527.tif 000028
2012043527.tif 000029